(57)【要約】【課題】車載操作システムではシフト操作が採用されているが、表示領域内の座標を連続的に指定するためには、連続操作がシフト操作よりも便利であること。【解決手段】表示領域には、地図、ポインタ及び操作釦が表示される。表示領域には、誘導領域が設けられている。誘導領域では、ポインタは、ユーザ操作による指定座標に依存せず、操作釦に誘導される。例えば、ポインタに係る表示座標は、座標Ａ、座標Ｂ及び座標Ｃの順で連続的に変化し、操作釦に係る表示座標に至る。他方、他の領域（誘導領域以外の表示領域）では、ポインタは、ユーザ操作による指定座標に依存する。例えば、ポインタに係る表示座標は、座標Ａ、座標Ｄ及び座標Ｅの順で連続的に変化し、地図上の任意の点を示す。【選択図】図３
2007290576.tif 000002
【特許請求の範囲】
【請求項１】
表示装置と、この表示装置から離れた位置に設けられた入力装置と、前記表示装置及び前記入力装置に接続された処理装置とを備える車載操作システムであって、
前記処理装置は、前記表示装置に対してポインタ及び操作釦を表示させ、前記表示装置に係る表示領域の一部又は全部を前記ポインタを前記操作釦に誘導するための誘導領域とすることを特徴とする車載操作システム。
【請求項２】
前記処理装置は、前記ポインタに係る表示座標が前記誘導領域にあれば、前記ポインタに係る表示座標を前記操作釦に係る表示座標まで連続的に変化させることを特徴とする請求項１に記載の車載操作システム。
【請求項３】
前記処理装置は、前記ポインタが前記操作釦に至った場合、その旨を出力装置に出力させることを特徴とする請求項１に記載の車載操作システム。
【請求項４】
前記処理装置は、前記操作釦に対応付けられた処理が実行不可である場合、前記ポインタを前記操作釦に誘導しないことを特徴とする請求項１に記載の車載操作システム。
【請求項５】
前記処理装置は、前記ポインタが前記誘導領域から他の領域に移動した場合、その旨を出力装置に出力させることを特徴とする請求項１に記載の車載操作システム。
【請求項６】
表示装置及びこの表示装置から離れた位置に設けられた入力装置に接続された処理装置であって、
前記表示装置に対してポインタ及び操作釦を表示させ、前記表示装置に係る表示領域の一部又は全部を前記ポインタを前記操作釦に誘導するための誘導領域とすることを特徴とする処理装置。
【発明の詳細な説明】
【技術分野】
【０００１】
本発明は、表示装置と入力装置とを備える車載操作システムに関するものであって、より詳しくは、ナビゲーションシステム等に関するものである。
【背景技術】
【０００２】
背景技術として、ダッシュボード内に設けられた表示装置と、アームレスト周辺に設けられた入力装置と、表示装置に対してメニューを表示させるとともに入力装置で選択されたメニューを実行する処理装置とを備えたコマンドシステムが知られている（非特許文献１を参照）。
【０００３】
このコマンドシステムでは、入力装置がユーザの視線方向に存在しない（図１を参照）。仮に、ポインタを表示領域内で連続的に移動させるための操作（以下、連続操作）がメニュー選択の方法として採用されると、ユーザは、ポインタとメニューとを一致させるために表示領域を注視しなければならない。ところが、車載システムでは、ユーザによる注視を避けることが必要である。したがって、メニュー選択の方法として、シフト操作が採用されている（図２を参照）。また、入力装置のレバーが傾けられると、
地図がスクロールする。
【非特許文献１】メルセデス・ベンツ  オフィシャルサイト  Ｓ−ＣＬＡＳＳ  ＣＯＭＡＮＤシステム、メルセデス・ベンツジャパン、＜［平成１８年４月４日検索］、URL：http://www.mercedes-benz.co.jp/passenger/car_lineup/s-class/interior-s350_a.html＞
【発明の開示】
【発明が解決しようとする課題】
【０００４】
背景技術では、シフト操作が採用されているが、表示領域内の座標を連続的に指定するためには、連続操作がシフト操作よりも便利である。特に、地図上の地点を指定するためには、連続操作がシフト操作よりも好ましい。
【課題を解決するための手段】
【０００５】
本発明に係る車載操作システムは、表示装置と、この表示装置から離れた位置に設けられた入力装置と、前記表示装置及び前記入力装置に接続された処理装置とを備える車載操作システムであって、前記処理装置は、前記表示装置に対してポインタ及び操作釦を表示させ、前記表示装置に係る表示領域の一部又は全部を前記ポインタを前記操作釦に誘導するための誘導領域とすることを特徴とするものである。本発明における字句の解釈は、次のとおりである。
【０００６】
「表示装置から離れた位置に設けられた入力装置」とは、表示装置と入力装置とが同一視線上に存在しないことを意味する。例えば、表示装置がダッシュボード内に設けられ、かつ、入力装置アームレスト周辺に設けられる場合がある。
【０００７】
「入力装置」とは、ユーザ操作に応じて連続的な出力を行う装置である。例えば、タッチパッド、ジョイスティック、トラックボールやマウス等がある。
【０００８】
「処理装置」とは、ハードウエア又はハードウエアとソフトウエアとの協働によって具体的な処理を実現するための装置である。
【０００９】
「ポインタ」とは、表示装置に係る表示領域における任意の座標を示すものである。例えば、矢印型の図形などがある。
【００１０】
「操作釦」とは、いわゆるソフトキーである。操作釦及びポインタが重畳表示された状態で、実行指示が行われると、操作釦に対応付けられた処理が実行される。
【００１１】
「表示領域の一部」「を誘導領域とする」のは、操作釦以外に指定される座標がある場合である。例えば、操作釦以外に地図が表示される場合がある。
【００１２】
「表示領域の」「全部」「を誘導領域とする」のは、操作釦以外に指定される座標がない場合である。
【００１３】
「操作釦に誘導する」とは、ポインタ及び操作釦が重畳表示された状態に至らせることである。誘導のためのソフトウエア等としては、特開平３−５１８９２号公報、特開平８−３１４６３７号公報や特開平９−１３８７３２号公報等に記載のものが知られている。
【００１４】
「前記ポインタに係る表示座標が前記誘導領域にあれば、前記ポインタに係る表示座標を前記操作釦に係る表示座標まで連続的に変化させる」処理がより好ましい。
【００１５】
「処理装置」は、好ましくは、「前記ポインタが前記操作釦に至った場合、その旨を出力装置に出力させる」ものである。「出力装置」としては、表示装置、音声出力装置、振動発生装置や光源などがある。
【００１６】
「処理装置」は、好ましくは、「前記操作釦に対応付けられた処理が実行不可である場合、前記ポインタを前記操作釦に誘導しない」ものである。
【００１７】
「処理装置」は、好ましくは、「前記ポインタが前記誘導領域から他の領域に移動した場合、その旨を出力装置に出力させる」ものである。
【発明の効果】
【００１８】
本発明は、表示装置に係る表示領域の一部又は全部をポインタを操作釦に誘導するための誘導領域とすることによって、車載操作システムのユーザに対して表示領域内の座標を連続的に指定させることができるという効果を有する。
【発明を実施するための最良の形態】
【００１９】
本発明に係る車載操作システムを実施するための最良の形態は、図３ないし図６で示される。
【００２０】
＜表示例＞本実施の形態に係る表示例は、図３で示される。表示領域には、地図、ポインタ及び操作釦が表示される（図３（ａ）を参照）。表示領域には、誘導領域が設けられている（図３（ｂ）を参照）。
【００２１】
誘導領域では、ポインタは、ユーザ操作による指定座標に依存せず、操作釦に誘導される。例えば、ポインタに係る表示座標は、座標Ａ、座標Ｂ及び座標Ｃの順で連続的に変化し、操作釦に係る表示座標に至る。他方、他の領域（誘導領域以外の表示領域）では、ポインタは、ユーザ操作による指定座標に依存する。例えば、ポインタに係る表示座標は、座標Ａ、座標Ｄ及び座標Ｅの順で連続的に変化し、地図上の任意の点を示す。
【００２２】
本実施の形態では、ポインタの表示座標が操作釦の表示座標に至った時点で、タッチパッド３から決定指示がなされると、当該操作釦に対応付けられた機能が実行される。
【００２３】
＜システム構成＞本実施の形態に係るシステム構成は、図４で示される。車載操作システム１は、表示装置２、タッチパッド（「入力装置」に相当する）３及び処理装置４を備える。処理装置４は、表示装置２及びタッチパッド３に接続されている。
【００２４】
＜処理装置のハードウエア構成＞本実施の形態に係る処理装置のハードウエア構成は、図５で示される。処理装置４は、Ｉ／Ｏ１１、ＲＯＭ１２、ＨＤＤ１３、ＣＰＵ１４、ＲＡＭ１５、描画ＩＣ１６、ＶＲＡＭ１７、音声ＩＣ１８及びＧＰＳ２０を備える。これらのデバイスは、バスで接続されている。
【００２５】
Ｉ／Ｏ１１には、表示装置２、タッチパッド３、車速センサ２１及びスピーカ（「出力装置」に相当する）２２が接続されている。
【００２６】
ＲＯＭ１２には、電源投入時や緊急時等に処理を実行するための基本的なプログラム（例えば、ＢＩＯＳ）が記憶されている。
【００２７】
ＨＤＤ１３には、表示座標決定処理、ポインタ表示処理や機能決定処理などをＣＰＵ１４に実行させるための処理プログラムが記憶されている。また、ＨＤＤ１３には、操作釦（画像）、操作釦に係る表示条件、ポインタ（画像）、到達完了音声や誘導解除音声等が記憶されている。
【００２８】
ＣＰＵ１４は、ＨＤＤ１３に記憶された処理プログラム及び各種データをＲＡＭ１５に展開し、図６で示される処理を実行する。
【００２９】
＜表示座標処理＞表示座標決定処理では、タッチパッド３を源泉とする指定座標及びＲＡＭ１５に記憶され操作釦に係る表示条件が用いられ、ポインタに係る表示座標が決定される。
【００３０】
具体的には、操作釦に係る表示条件として、操作釦に係る中心座標及び操作釦に係る表示寸法がＲＡＭ１５に記憶されている場合、操作釦に係る表示寸法が縦方向及び横方向にａ倍（ａ＞１）され、その演算結果がＲＡＭ１５に記憶される。ＲＡＭ１５に記憶された演算結果及び中心座標は、誘導領域をなす（以下の説明では、誘導領域がＲＡＭ１５に記憶されているものとする）。
【００３１】
次に、タッチパッド３を源泉とする指定座標とＲＡＭ１５に記憶された誘導領域とが比較される。指定座標が誘導領域にあれば、表示座標は、指定座標を前述の中心座標により近い座標に補正したものに決定される。他方、指定座標が誘導領域になければ（他の領域にあれば）、表示座標は指定座標に決定される。各表示座標は、ＲＡＭ１５に記憶される。
【００３２】
＜ポインタ表示処理＞ポインタ表示処理では、ＲＡＭ１５に記憶された表示座標及びＨＤＤ１３を源泉とするポインタが用いられ、ポインタがＲＡＭ１５に記憶された表示座標に表示される。
【００３３】
具体的には、描画ＩＣ１６が、ポインタをＲＡＭ１５に記憶された表示座標で表示する旨の制御データをＣＰＵ１４から受け取り、ＶＲＡＭ１７に対してポインタを記憶させ、ＶＲＡＭ１７に記憶されたポインタを表示装置２側に順次出力する（図３を参照）。
【００３４】
＜付加処理１＞付加処理１では、ＲＡＭ１５に記憶されポインタに係る表示座標とＲＡＭ１５に記憶され操作釦に係る表示座標とが比較され、ポインタが操作釦に至ったとみなされると、スピーカ２２に対してＨＤＤ１２を源泉とする到達完了音声を出力させる旨の制御データが出力される。音声ＩＣ１８は、制御データを受けて、ＨＤＤ１２を源泉とする到達完了音声をスピーカ２２側に出力する。
【００３５】
＜付加処理２＞付加処理２では、ＲＡＭ１５に記憶された実行状態が参照され、操作釦に対応する処理が実行不可であれば、表示座標決定処理における補正を停止するための停止フラグがＲＡＭ１５に記憶される。これによって、指定座標が誘導領域にあるか否かを問わず、表示座標は指定座標に決定される。
【００３６】
＜付加処理３＞付加処理３では、ＲＡＭ１５に記憶された今回の指定座標及び前回の指定座標がそれぞれ誘導領域と比較され、ポインタが誘導領域から他の領域に移動したとみなされると、スピーカ２２に対してＨＤＤ１３を源泉とする誘導解除音声を出力させる旨の制御データが出力される。音声ＩＣ１８は、制御データを受けて、ＨＤＤ１２を源泉とする誘導解除音声をスピーカ２２側に出力する。
【００３７】
＜本実施の形態における効果＞本実施の形態によれば、ポインタは、他の領域（誘導領域以外の表示領域）で、ユーザ操作による指定座標に依存する。したがって、車載操作システム１のユーザに対して地図上の座標を連続的に指定させることができる。
【００３８】
本実施の形態によれば、ポインタが誘導領域では操作釦に誘導される。したがって、車載操作システム１のユーザは操作釦を指定するために表示領域を注視しなくてよい。
【００３９】
本実施の形態によれば、ポインタが操作釦に至ったとみなされると、到達完了音声が出力される。したがって、車載操作システム１のユーザに対して処理実行のタイミングを認識させることができる。
【００４０】
本実施の形態によれば、操作釦に対応する処理が実行不可である場合、指定座標が誘導領域にあるか否かを問わず、表示座標は指定座標に決定される。したがって、車載操作システム１のユーザに対して実行不能な処理を認識させることができる。
【００４１】
本実施の形態によれば、ポインタが誘導領域から他の領域に移動したとみなされると、誘導解除音声が出力される。したがって、車載操作システム１のユーザに対して誘導領域の境界線を認識させることができる。
【００４２】
＜変形例１＞本実施の形態では、表示座標決定処理が具体的に説明されているが、特開平３−５１８９２号公報、特開平８−３１４６３７号公報や特開平９−１３８７３２号公報等に記載のものが用いられてもよい。
【００４３】
＜変形例２＞本実施の形態では、ポインタが誘導領域で連続的に変位しているが、離散的な変位が採用されてもよい。例えば、ポインタが誘導領域に入った時点で、ポインタが操作釦に重畳表示されてもよい。
【産業上の利用可能性】
【００４４】
本発明は、車載操作システムのユーザに対して表示領域内の座標を連続的に指定させることができるという効果を有し、ナビゲーションシステム等に有用である。
【図面の簡単な説明】
【００４５】
【図１】背景技術に係るシステム構成を示す図
【図２】背景技術に係るシフト操作時の表示例を示す図
【図３】（ａ）本発明に係る車載操作システムを実施するための最良の形態における処理前の表示例を示す図（ｂ）本実施の形態における処理後の表示例を示す図
【図４】本実施の形態におけるシステム構成を示す図
【図５】本実施の形態におけるハードウエア構成を示す図
【図６】本実施の形態における処理を示すチャート
【符号の説明】
【００４６】
１    車載操作システム
２    表示装置
３    タッチパッド（入力装置）
４    処理装置
２２    スピーカ（出力装置）
【図４】
2007290576.tif 000003
【図５】
2007290576.tif 000004
【図６】
2007290576.tif 000005
【図１】
2007290576.tif 000006
【図２】
2007290576.tif 000007
【図３】
2007290576.tif 000008